【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
レンズ加工ユニットを有し、眼鏡レンズの加工情報に基づいて前記眼鏡レンズを加工する眼鏡レンズ周縁加工装置を複数備え、前記各加工装置を用いて多数の眼鏡レンズを加工するための眼鏡レンズ周縁加工システムであって、
記憶手段に記憶され前記加工装置で使用可能な第１加工情報を、修正する第２加工情報を得るための修正データを各加工装置に関して設定可能な設定手段を備える加工設定ユニットを備え、
前記第１加工情報に基づいて、前記複数の加工装置のいずれかによって前記眼鏡レンズに対し第１の加工を施すことが可能であって、
前記設定手段で設定された修正データによって前記第１加工情報が修正された第２加工情報が取得され、さらに、第２加工情報に基づいて、前記複数の加工装置のいずれかによって前記眼鏡レンズに対し第２の加工を施すことが可能である眼鏡レンズ周縁加工システム。
【請求項２】
前記第１加工情報は、加工前の前記眼鏡レンズに対して使用するための第１加工情報であって、
前記設定手段は、前記修正データとして、加工済の前記眼鏡レンズに対して使用するための第２加工情報を得るための修正データを設定し、
前記眼鏡レンズ周縁加工システムは、
前記第１加工情報に基づいて、前記複数の加工装置のいずれかによって加工前の前記眼鏡レンズに対して第１の加工を施すと共に、
前記設定手段で設定された修正データによって前記第１加工情報が修正された第２加工情報が取得され、さらに、第２加工情報に基づいて、前記複数の加工装置のいずれかによって加工済の前記眼鏡レンズに対し第２の加工を施すことが可能であることを特徴とする請求項１の眼鏡レンズ周縁加工システム。
【請求項３】
前記第２加工情報が、前記第２加工情報に対応する前記第１加工情報を用いて第１の加工を施した前記加工装置によって取得され、
前記第２加工情報に基づいて、同一の眼鏡レンズに対し、前記第１の加工を施した前記加工装置と同一の装置によって第２の加工を施すことを特徴とする請求項２の眼鏡レンズ周縁加工システム。
【請求項４】
前記眼鏡レンズ周縁加工システムは、前記眼鏡レンズ周縁加工装置によって加工される前記眼鏡レンズを収納するための収納体を、各加工装置に対して搬送する搬送装置を、さらに備えるシステムであって、
加工前の前記眼鏡レンズが収納された収納体を搬入する加工装置を前記複数の加工装置から決定し、決定された加工装置に前記収納体を搬入させるように、前記搬送装置を制御する搬送制御手段を備え、
前記搬送制御手段は、前記第２加工情報に基づいて第２の加工を施す加工装置を決定するための決定信号を受け付ける決定受付手段を有し、前記決定受付手段によって受け付けられた決定信号に応じて、第２の加工を施す加工装置に、加工済の前記眼鏡レンズが収納された前記収納体を搬入させるように、前記搬送装置を制御することを特徴とする請求項２または３の眼鏡レンズ周縁加工システム。
【請求項５】
前記各加工装置は、加工前の前記眼鏡レンズの形状を測定する測定ユニットを有し、
前記眼鏡レンズ周縁加工システムは、さらに、前記加工装置にガイドモードを実行させるか否かを識別するための識別情報を各眼鏡レンズに関して記憶する識別情報記憶手段から、前記識別情報を取得し、
ガイドモードを実行させる識別情報が取得された場合、前記測定ユニットによる測定後、前記加工ユニットを一旦停止させるガイド制御部を有し、
前記加工設定ユニットは、さらに、前記レンズ形状測定部によって測定されたコバ付近の形状と前記第１加工情報に基づいて加工後のレンズ形状データをシミュレーションし、シミュレーション結果を表示手段に図形表示する表示制御手段を有し、
前記設定手段は、前記表示手段に前記シミュレーション結果が表示された後、前記修正データを設定可能であって、
前記一旦停止された前記加工ユニットが前記第２加工情報に基づいて制御されることにより、前記眼鏡レンズに対し加工を施すことが可能であることを特徴とする請求項１〜４のいずれかの眼鏡レンズ周縁加工システム。
【請求項６】
請求項１〜５のいずれかの眼鏡レンズ周縁加工システムにおいて前記加工設定ユニットとして使用される外部端末装置において実行される眼鏡レンズ周縁加工プログラムであって、
前記外部端末装置のプロセッサによって実行されることで、
前記第１加工情報を修正する第２加工情報を得るための修正データを各加工装置に関して設定する設定ステップと、
を前記外部端末装置に実行させることを特徴とする眼鏡レンズ周縁加工プログラム。
【請求項７】
レンズ加工ユニットを有し、眼鏡レンズの加工情報に基づいて前記眼鏡レンズを加工する眼鏡レンズ周縁加工装置において、
記憶手段に記憶され前記加工装置で使用可能な第１加工情報を修正する第２加工情報を得るための修正データを設定する設定手段を備える加工設定ユニットとしての外部端末装置を備え、
前記第１加工情報に基づいて、前記加工装置によって前記眼鏡レンズに対し第１の加工を施すことが可能であって、
前記設定手段で設定された修正データによって前記第１加工情報を修正した第２加工情報が取得され、さらに、第２加工情報に基づいて、前記加工装置によって前記眼鏡レンズに対し第２の加工を施すことが可能であることを特徴とする眼鏡レンズ周縁加工装置。
【手続補正２】
【補正対象書類名】明細書
【補正対象項目名】発明の名称
【補正方法】変更
【補正の内容】
【発明の名称】眼鏡レンズ周縁加工システム、眼鏡レンズ周縁加工プログラム、および眼鏡レンズ周縁加工装置
【手続補正３】
【補正対象書類名】明細書
【補正対象項目名】０００１
【補正方法】変更
【補正の内容】
【０００１】
本発明は、眼鏡レンズを加工するための眼鏡レンズ周縁加工システム、眼鏡レンズ周縁加工プログラム、および眼鏡レンズ周縁加工装置に関する。
【手続補正４】
【補正対象書類名】明細書
【補正対象項目名】０００７
【補正方法】変更
【補正の内容】
【０００７】
本発明は、上記従来技術の課題に鑑み、効率よく眼鏡レンズを加工できる眼鏡レンズ周縁加工装置、眼鏡レンズ周縁加工プログラム、および眼鏡レンズ周縁加工装置を提供することを技術課題とする。
【手続補正５】
【補正対象書類名】明細書
【補正対象項目名】０００８
【補正方法】変更
【補正の内容】
【０００８】
（１）  レンズ加工ユニットを有し、眼鏡レンズの加工情報に基づいて前記眼鏡レンズを加工する眼鏡レンズ周縁加工装置を複数備え、前記各加工装置を用いて多数の眼鏡レンズを加工するための眼鏡レンズ周縁加工システムであって、記憶手段に記憶され前記加工装置で使用可能な第１加工情報を、修正する第２加工情報を得るための修正データを各加工装置に関して設定可能な設定手段を備える加工設定ユニットを備え、前記第１加工情報に基づいて、前記複数の加工装置のいずれかによって前記眼鏡レンズに対し第１の加工を施すことが可能であって、前記設定手段で設定された修正データによって前記第１加工情報が修正された第２加工情報が取得され、さらに、第２加工情報に基づいて、前記複数の加工装置のいずれかによって前記眼鏡レンズに対し第２の加工を施すことが可能である。
（２）  （１）の眼鏡レンズ周縁加工システムにおいて前記加工設定ユニットとして使用される外部端末装置において実行される眼鏡レンズ周縁加工プログラムであって、前記外部端末装置のプロセッサによって実行されることで、前記第１加工情報を修正する第２加工情報を得るための修正データを各加工装置に関して設定する設定ステップと、を前記外部端末装置に実行させることを特徴とする。
（３）  レンズ加工ユニットを有し、眼鏡レンズの加工情報に基づいて前記眼鏡レンズを加工する眼鏡レンズ周縁加工装置において、記憶手段に記憶され前記加工装置で使用可能な第１加工情報を修正する第２加工情報を得るための修正データを設定する設定手段を備える加工設定ユニットとしての外部端末装置を備え、前記第１加工情報に基づいて、前記加工装置によって前記眼鏡レンズに対し第１の加工を施すことが可能であって、前記設定手段で設定された修正データによって前記第１加工情報を修正した第２加工情報が取得され、さらに、第２加工情報に基づいて、前記加工装置によって前記眼鏡レンズに対し第２の加工を施すことが可能であることを特徴とする。